(57)【要約】【課題】従来は、位置を合わせたのち係止用押しボタンを切欠に挿入する操作が必要であり煩雑だった。また、印字体を交換している最中など意図せずにロックが解除されてしまう欠点があった。【解決手段】内部に反転ガイドを設けてなる内枠体と、前記内枠体との間に弾性体を介在して装着する外枠体と、印字体を保持し前記反転ガイドにより反転可能な印判主体と、前記内枠体に収容してなるインキパッドと、からなる反転式印判において、前記内枠体の側面に内部方向へ移動可能な突起部を設け、前記外枠体の側面に前記突起部が嵌まり込む係合部と前記突起部を内部方向へ移動させる押込部を設け、常時は介在させた前記弾性体により前記内枠体と前記外枠体が上下動可能となっているが、前記突起部が前記係合部に嵌まり込むと上下動がロックされ、前記押込部を内部方向へ移動させると相対する前記突起部も内部方向へ移動し前記ロックが解除される反転式印判。【選択図】      図１
2011025659.tif 000002
【特許請求の範囲】
【請求項１】
内部に反転ガイドを設けてなる内枠体と、
前記内枠体との間に弾性体を介在して装着する外枠体と、
印字体を保持し前記反転ガイドにより反転可能な印判主体と、
前記内枠体に収容してなるインキパッドと、
からなる反転式印判において、
前記内枠体の側面に内部方向へ移動可能な突起部を設け、
前記外枠体の側面に前記突起部が嵌まり込む係合部と前記突起部を内部方向へ移動させる押込部を設け、
常時は介在させた前記弾性体により前記内枠体と前記外枠体が上下動可能となっているが、前記突起部が前記係合部に嵌まり込むと上下動がロックされ、前記押込部を内部方向へ移動させると相対する前記突起部も内部方向へ移動し前記ロックが解除される反転式印判。
【請求項２】
前記インキパッドをインキカートリッジに収容し、
前記内枠体の側面に前記インキカートリッジを挿入取出するための脱着口を設け、
前記外枠体の側面に前記インキカートリッジを挿入取出するための着脱口を設けた請求項１に記載の反転式印判。
【請求項３】
前記インキカートリッジの側面に摘み部を設け、
前記インキカートリッジの摘み部が可動するための溝を前記着脱口から連続して設けた請求項２に記載の反転式印判。
【請求項４】
前記内枠体と前記外枠体は、直方体の底部を開放した箱体であって、
前記内枠体の長側面に前記突起部を設け、前記外枠体の長辺側面に前記押込部及び前記係合部を設けた請求項１または請求項２または請求項３に記載の反転式印判。
【請求項５】
前記内枠体と前記外枠体は、直方体の底部を開放した箱体であって、
前記内枠体の短側面に前記突起部を設け、前記外枠体の短辺側面に前記押込部及び前記係合部を設けた請求項１または請求項２または請求項３に記載の反転式印判。
【請求項６】
前記印判主体が、前記印字体を保持した印字体ホルダーを取り外し可能に保持した印判主体である請求項１または請求項２または請求項３に記載の反転式印判。
【請求項７】
前記内枠体の下端部に被捺印物を保持するための保持部を設けた請求項１または請求項２または請求項３に記載の反転式印判。
【請求項８】
前記印字体を保持した部分の周縁、又は前記インキパッドを収容した部分の周縁のどちらか一方にパッキンを配設するとともに、他方に当接部を設け、
前記インキパッドと前記印字体とが接触する際、前記パッキンと前記当接部が密着する請求項１または請求項２または請求項３または請求項６に記載の反転式印判。
【発明の詳細な説明】
【技術分野】
【０００１】
本発明は、基本状態はバネ等の弾性体により印字体が上方を向いてインキパッドに接触しているが、弾性体に抗して圧縮すると、反転ガイドにより印判主体が反転して下方を向き、捺印可能となるセルフインキングスタンプとも称される反転式印判に関するものである。
【背景技術】
【０００２】
従来、この種の反転式印判に関する出願は数多くされている。この種の反転式印判の中には、印判を固定印字体としたものや、無端回転印字ベルトを使用した回転印としたものがある。この様な反転式印判の場合、印字体が常にインキパッドに接触しているため、印字体を交換したり、無端回転印字ベルトを回転させて印字体を変更したり、インキパッドを交換したり、インキを補充したりするといった作業を行なう場合、印字体とインキパッドを離した状態にしなければならない。しかしながら、この種の反転式印判は印字体とインキパッドを離した状態を保つことができないため、前記作業がしづらいという問題が生じていた。
そこで、これらの問題を改善した反転式印判に関する出願として、実開昭５４−１３４５２０号、米国特許第５１５２２２３号、米国特許第５７２７４６７号、米国特許第５８５０７８７号等がある。この種の反転式印判は、印字体とインキパッドとをコイルバネにて常に接触させており、印字体を保持する印判主体を１８０度反転させると同時に捺印できるものであり、又、印判主体を１８０度反転させた時にロック状態にすることができるものである。
実開昭５４−１３４５２０号、米国特許第５１５２２２３号は、弾性体に抗して外枠体を押圧し印判主体を１８０度反転させた時に、下部分に設けられた開口部と操作部分に設けられた開口部とが同位置になり、その開口部に錠止体を差し込むことによりロック状態にすることができるものである。
米国特許第５７２７４６７号は、弾性体に抗して外枠体を押圧した時に、外枠体に設けられた舌片を内枠体に設けられた窪みに係合することによりロック状態にすることができるものである。
米国特許第５８５０７８７号や米国特許第７０６９８５２号は、弾性体に抗して外枠体を押圧した時に、外枠体に設置された係止用押しボタンを内枠体に設けられた切欠に係合することによりロック状態にすることができるものである。
以上の様に、この種の反転式印判は、印判主体を１８０度反転させた時にロック状態にすることにより、印字体を交換したり、無端回転印字ベルトを回転させて印字体を変更したり、インキパッドを交換したり、インキを補充したりするといった作業をしやすくするものである。
【先行技術文献】
【特許文献】
【０００３】
【特許文献１】実開昭５４−１３４５２０号
【特許文献２】米国特許第５１５２２２３号
【特許文献３】米国特許第５７２７４６７号
【特許文献４】米国特許第５８５０７８７号
【特許文献５】米国特許第７０６９８５２号
【発明の概要】
【発明が解決しようとする課題】
【０００４】
しかしながら、この種の反転式印判においてロック操作をする場合、実開昭５４−１３４５２０号、米国特許第５１５２２２３号の反転式印判は、使用者は一方の手で弾性体に抗して外枠体を押圧し印判主体を１８０度反転させた状態を保ちながらもう一方の手で錠止体を差し込まなければならないため、ロック操作を片手で行なうことが難しかった。また、ロック解除を行なう際も一方の手で外装体を押圧しながらもう一方の手で錠止体を抜き取らなければならないため、煩雑なロック操作を要求されていた。
米国特許第５７２７４６７号の反転式印判をロック状態にするには、弾性体に抗し外枠体を押圧する力を加減しながら外枠体に設けられた舌片と内枠体に設けられた窪みの位置を合わせる操作が必要であって、かつ、両者の位置を合わせたのち舌片を窪みに挿入する操作が必要であり煩雑だった。また、ロック解除は弾性体に抗して外枠体を更に押圧すると自動的に解除される構成であるが、わずかな押圧力によってロック解除してしまうので、印字体を交換している最中など意図せずにロックが解除されてしまう欠点があった。
米国特許第５８５０７８７号や米国特許第７０６９８５２号の反転式印判をロック状態にするには、弾性体に抗し外枠体を押圧する力を加減しながら外枠体に設置された係止用押しボタンと内枠体に設けられた切欠の位置を合わせる操作が必要であって、かつ、両者の位置を合わせたのち係止用押しボタンを切欠に挿入する操作が必要であり煩雑だった。また、ロック解除は弾性体に抗して外枠体を更に押圧すると自動的に解除される構成であるが、わずかな押圧力によってロック解除してしまうので、印字体を交換している最中など意図せずにロックが解除されてしまう欠点があった。
また、この種の反転式印判においてインキパッドの交換作業をする場合、実開昭５４−１３４５２０号、米国特許第５１５２２２３号、米国特許第５７２７４６７号の反転式印判は、インキパッドに何の摘み部分もないので、容易に反転式印判から抜き出すことができなかった。米国特許第５８５０７８７号はインキパッドに摘み部分があるので、容易に反転式印判から抜き出すことができるが、その代わり押印操作を容易にするためノブが必須となっている。もしノブがない場合は外枠体を直接握ることになるが、そうするとインキパッドの摘み部分が押印操作の邪魔になる欠点がある。この欠点を克服するため、米国特許第７０６９８５２号はインキパッドの摘み部分を折り畳み式になっている。しかし、インキパッドの摘み部分を折り畳み式にすると、強度が弱く、何度も使用する間に屈折部が折れてしまう欠点があった。
また、この種の反転式印判は、不使用時、インキパッドに含浸させたインキが揮発性の場合、インキパッドが乾燥する欠点があった。
【課題を解決するための手段】
【０００５】
内部に反転ガイドを設けてなる内枠体と、
前記内枠体との間に弾性体を介在して装着する外枠体と、
印字体を保持し前記反転ガイドにより反転可能な印判主体と、
前記内枠体に収容してなるインキパッドと、
からなる反転式印判において、
前記内枠体の側面に内部方向へ移動可能な突起部を設け、
前記外枠体の側面に前記突起部が嵌まり込む係合部と前記突起部を内部方向へ移動させる押込部を設け、
常時は介在させた前記弾性体により前記内枠体と前記外枠体が上下動可能となっているが、前記突起部が前記係合部に嵌まり込むと上下動がロックされ、前記押込部を内部方向へ移動させると相対する前記突起部も内部方向へ移動し前記ロックが解除される反転式印判。
前記インキパッドをインキカートリッジに収容し、
前記内枠体の側面に前記インキカートリッジを挿入取出するための脱着口を設け、
前記外枠体の側面に前記インキカートリッジを挿入取出するための着脱口を設けた反転式印判。
前記インキカートリッジの側面に摘み部を設け、
前記インキカートリッジの摘み部が可動するための溝を前記着脱口から連続して設けた反転式印判。
前記内枠体と前記外枠体は、直方体の底部を開放した箱体であって、
前記内枠体の長側面に前記突起部を設け、前記外枠体の長辺側面に前記押込部及び前記係合部を設けた反転式印判。
前記内枠体と前記外枠体は、直方体の底部を開放した箱体であって、
前記内枠体の短側面に前記突起部を設け、前記外枠体の短辺側面に前記押込部及び前記係合部を設けた反転式印判。
前記印判主体が、前記印字体を保持した印字体ホルダーを取り外し可能に保持した印判主体である反転式印判。
前記内枠体の下端部に被捺印物を保持するための保持部を設けた反転式印判。
前記印字体を保持した部分の周縁、又は前記インキパッドを収容した部分の周縁のどちらか一方にパッキンを配設するとともに、他方に当接部を設け、
前記インキパッドと前記印字体とが接触する際、前記パッキンと前記当接部が密着する請求項１または請求項２または請求項３または請求項６に記載の反転式印判。
【発明の効果】
【０００６】
本発明の反転式印判をロック状態にするには、弾性体に抗して単に外枠体を押圧するだけで、内枠体の側面に設けられた内部方向へ移動可能な突起部と、外枠体の側面に設けられた係合部が簡単に係合し、ロック操作が容易である。
また、ロック状態を解除するには、外枠体の側面に設けられた押込部を操作して前記突起部を内部方向へ移動させると、前記突起部と前記係合部の嵌合が解除される。よって、印字体を交換している最中などに無意識にロック解除してしまうことが無く、常に意図的でなければロック解除できないものである。
また、本発明の反転式印判は、インキカートリッジに摘み部を設けて印判本体への挿入や引き出しを容易にすると同時に、外枠体を握って押印操作をする際にインキカートリッジの摘み部に手のひらが当たって邪魔にならないようにするものである。
また、インキパッドと印字体とが接触する際、パッキンと当接部とが密着して印判主体とインキカートリッジとの間を密閉するため、インキパッドに含浸させたインキが揮発性の場合であっても、インキパッドの乾燥を防ぐことができる。
【図面の簡単な説明】
【０００７】
【図１】第１実施例の分解上方斜視図
【図２】第１実施例の分解下方斜視図
【図３】第１実施例の作動説明図
【図４】第１実施例のロック作動説明図
【図５】第１実施例の全体図
【図６】第２実施例の分解上方斜視図
【図７】第２実施例の分解下方斜視図
【図８】第２実施例の全体図
【図９】第３実施例の分解上方斜視図
【図１０】第３実施例の分解下方斜視図
【図１１】第３実施例の全体図
【図１２】第４実施例の断面図
【発明を実施するための形態】
【０００８】
以下、本発明第１実施例を図１〜図５に基づいて説明する。
１０は底部を開放した箱状の内枠体であって、内枠体１０の内部には後述するインキカートリッジ４０を収納保持している。内枠体１０は、直方体の底部を開放した箱体や、立方体の底部を開放した箱体を採用できる。ここで、直方体とは、６つの長方形で囲まれ、隣り合う面がすべて垂直になっている立体のことをいい、立方体とは、６つの合同な正方形で囲まれる立体のことをいう。
内枠体１０が直方体の底部を開放した箱体の場合、短側面１１には、後述する印判主体５０の固定軸５２が可動するためのスリット１３が前記脱着口１２の下方に設けてあり、その内部には印判主体５０を反転させるための反転ガイド１４が設けてある。本実施例の反転ガイド１４は米国特許第２３１２７２７号、米国特許第３７７９１６４号、米国特許第４４３２２８１号のように内枠体１０の内壁と一体成型してあるが、米国特許第２９３９３９０号、米国特許第４６０３６２８号のように湾曲した溝による方式の反転ガイドを用いることも可能であるし、米国特許第４４３２２８１号のようにカム板を用いた方式の反転ガイドを用いることも可能である。内枠体１０の長側面１５には、一端を長側面１５に接続し、接続部以外の周囲に切り込みを入れて弾性力を持たせた突起部１６を設けてある。前記突起部１６は前記長側面１５両側にそれぞれ設けてあるが、片側だけに設けることも可能である。また、内枠体１０に立方体の底部を開放した箱体を採用した場合、短側面、長側面の制約を受けずに設計ができる効果がある。
２０は底部を開放した箱状の外枠体である。外枠体２０は、直方体の底部を開放した箱体や、立方体の底部を開放した箱体を採用できる。ここで、直方体とは、６つの長方形で囲まれ、隣り合う面がすべて垂直になっている立体のことをいい、立方体とは、６つの合同な正方形で囲まれる立体のことをいう。
外枠体２０が直方体の底部を開放した箱体の場合、短辺側面２１の内部の下方には、後述する印判主体５０の固定軸５２が嵌装される固定穴２４が設けられている。前記外枠体２０の長辺側面２５には、一端を長辺側面２５に接続し、接続部分以外の周囲に切り込みを入れて弾性力を持たせた押込部２６を設けてある。切り込みの下端部は後述する突起部が嵌まり込む係合部２７をなしている。前記押込部２６と前記係合部２７は前記長辺側面２５両側にそれぞれ設けてあるが、片側だけに設けることも可能である。また、外枠体２０に立方体の底部を開放した箱体を採用した場合、短側面、長側面の制約を受けずに設計ができる効果がある。
３０は内枠体１０と外枠体２０の間に介在させて、外枠体２０を上下動可能に保持するための弾性体であって、本実施例ではコイルバネを２本用いているが、コイルバネに限定されない。
４０はインキパッド４２を収容したインキカートリッジである。インキパッド４２はスポンジ、フェルトなどの多孔体にインキを含浸させてある。
５０は印判主体であって、表裏に印字体５１を保持した印字体ホルダー５４を嵌め込んでいる。印字体５１は、多孔質からなる所謂浸透印ではなく前記インキパッド４２のインキを転写するタイプの印字体であって、大きいサイズの印字体と小さいサイズの印字体を印字体ホルダー５４に表裏にそれぞれ取り付けてある。印字体ホルダー５４は、前記印判主体５０に取り外し自由となっており、用途によって大小の印字体を交換可能となっている。なお、印判主体５０は、印字体５１の代わりに複数の無端印字ベルトからなる回転印からなる回転印を用いることもできる。印判主体５０の側面には、前記外枠体２０の固定穴２４と嵌装される固定軸５２と、前記反転ガイド１４に係合して印判主体５０を安定して回転させるための反転軸５３が設けてある。
本発明の反転式印判は、印判主体５０の固定軸５２を内枠体１０のスリット１３内で自由に可動できるように取り付け、次に内枠体１０内にインキカートリッジ４０を装着し、次に内枠体１０の上面に弾性体３０を設置し、次に弾性体３０を介在させたまま内枠体１０に外枠体２０を装着すると同時に外枠体２０の固定穴２４に固定軸５２を嵌装して組み付けられる。
【０００９】
次に本発明反転式印判の第１実施例の作動について説明する。
紙面に対して内枠体１０の下端が接触するように置いた通常時の反転式印判は、弾性体３０が最も伸びた状態であって内枠体１０と外枠体２０が最も離れた状態となっており、印字体５１は上向きの状態でインキパッド４２に接触してインキが供給された状態となっている（図３（ａ）参照）。
次に、グリップ様の外枠体２０を手で握り下降させる。そうすると、外枠体２０が弾性体３０を圧縮しながら下降すると同時に、固定穴２４に嵌装した固定軸５２もスリット１３内を下降する（図３（ｂ）参照）。
更に、外枠体２０を下降させると、印判主体５０が反転ガイド１４に接触する。そうすると固定軸５２を中心として印判主体５０が回転して横向きとなる。その際、反転軸５３が反転ガイド１４に係合し、がたつきなどを生じさせず印判主体５０を安定して回転させる（図３（ｃ）参照）。
更に、外枠体２０を下降させると、反転ガイド１４の作用により印判主体５０が完全に１８０度反転して印字体５１は下向きとなり、紙面に印字体５１のインキを転写する。この状態では、内枠体１０の下端が紙面に当接し、内枠体１０に設けた突起部１６は外枠体２０の係合部２７に届かないのでロックはされない（図３（ｄ）参照）。
次に、外枠体２０への押圧を解除する。そうすると、弾性体３０が反発し、今までの全ての工程を逆にたどって、通常時の状態へ戻り、印字体５１にインキパッドが接触してインキが再供給させる。
【００１０】
本発明の反転式印判は、内枠体１０と外枠体２０を組み付けた状態で印字体５１或いは印字体ホルダー５４とインキカートリッジ４０の交換が可能である。交換作業を容易にするために、印字体５１或いは印字体ホルダー５４、又は、インキカートリッジ４０の交換可能位置で内枠体１０と外枠体２０がロック状態となることが好ましい。
印字体５１或いは印字体ホルダー５４又はインキカートリッジ４０を交換するには、反転式印判の内枠体１０の開放底部を上向きに、外枠体２０を下向きにした後、内枠体１０を指で押し下げる。そうすると、内枠体１０が弾性体３０を圧縮しながら下降すると同時に、固定穴２４に嵌装した固定軸５２もスリット１３内を下降する。更に、内枠体１０を下降させると、印判主体５０が反転ガイド１４に接触する。そうすると固定軸５２を中心として印判主体５０が回転して横向きとなる。更に、内枠体１０を下降させると、反転ガイド１４の作用により印判主体５０が完全に１８０度反転し、印字体５１は上向きとなる。更に、内枠体１０を下降させると、弾性力を持たせた内枠体１０の突起部１６が外枠体に一旦は衝突するが、内枠体１０の突起部１６は弾性力を持たせてあるので内部方向にたわみながら外枠体２０を乗り越える。更に、内枠体１０を下降させると、突起部１６は外枠体２０の切り込みとなっている係合部２７に嵌まり込み、内枠体１０と外枠体２０は固定されロック状態となる（図４参照）。
当該ロック状態では、印判主体５０がせりあがって、印字体５１があらわになっており、印字体５１単独或いは印字体ホルダー５４全部を容易に交換することができる。
ロック状態を解除するには、外枠体２０の押込部２６を押し込んで内部方向へ移動させると、相対している突起部１６も内部方向へ移動し、係合部２７と突起部１６の嵌合が外れると同時に、弾性体３０の弾発力によって前記工程の全てを逆にたどって、通常時の状態へ戻る。
【００１１】
次に、本発明第２実施例を図６〜図８に基づいて説明する。ここでは、前記した実施形態と異なる点のみを説明する。
前記内枠体１０の短側面１１には、インキカートリッジ４０を挿入取出するための脱着口１２を設けてある。前記脱着口１２は前記短側面１１両側にそれぞれ設けてあるが、片側だけに設けることも可能である。
前記外枠体２０の短辺側面２１には、インキカートリッジ４０を挿入取出するための着脱口２２を設けてある。前記着脱口２２は短辺側面２１両側にそれぞれ設けてあるが、片側だけに設けることも可能である。
また、インキカートリッジ４０の取り出しを行う際は、インキカートリッジの側面を押すことによって飛び出した他側面を摘んで、脱着口１２及び着脱口２２から取り出しを行ない、また、その逆の作業でインキカートリッジ４０の挿入を行う。また、前記脱着口１２と前記着脱口２２を片側だけに設けた場合は、他側面に脱着孔１２１、着脱孔２２１をそれぞれ設け、前記脱着孔１２１と前記着脱孔２２１に指や棒状の突起等を挿入してインキカートリッジ４０の側面を押すことで取り出しを行うことができる。
組み付けは、印判主体５０を内枠体１０に取り付け、次に内枠体１０の上面に弾性体３０を設置し、内枠体１０に外枠体２０を装着し、次に内枠体１０の脱着口１２と外枠体２０の着脱口２２の位置を合わせてインキカートリッジ４０を短辺側から挿入して組み付けられる。
ここで、着脱口２２に蓋を設けてもよい。蓋は、着脱口２２を完全に覆う形状で、外枠体２０に嵌着する。外枠体２０と蓋とは、ヒンジや軸等によって回動自在に枢着していてもよいし、離脱可能であってもよい。このように蓋を設けると、前記着脱口から印判内部が露呈しないため、見栄えがよくなる。
【００１２】
次に、本発明第３実施例を図９〜図１１に基づいて説明する。ここでは、前記した実施形態と異なる点のみを説明する。
前記外枠体２０の短辺側面２１には、インキカートリッジ４０を挿入取出するための着脱口２２を設け、インキカートリッジ４０の摘み部４１が可動するための溝２３が前記着脱口２２から連続して設けてある。この際、インキカートリッジ４０の摘み部４１は外枠体２０の溝２３内を移動するので、外枠体２０の下降作動を阻害しない。また、前記着脱口２２は短辺側面２１両側にそれぞれ設けてあるが、片側だけに設けることも可能である。
また、インキカートリッジ４０の側面には摘み部４１が設けてあり、摘み部４１をもって内枠体１０の脱着口１２及び外枠体２０の着脱口２２から挿入又は取り出しを行なう。摘み部４１はインキカートリッジ４０の両側面に設けてあるが、片側だけに設けることも可能である。摘み部４１を片側だけとした場合は、前記脱着口１２、前記着脱口２２、溝２３も片側だけに設ければよい。
組み付けは、内枠体１０の脱着口１２と外枠体２０の着脱口２２の位置を合わせて摘み部４１を握ってインキカートリッジ４０を挿入して組み付けられる。
【００１３】
本発明反転式印判の第３の実施例の作動について説明する。
内枠体１０の着脱口１２と外枠体２０の脱着口２２が同位置で固定されるので、摘み部４１を引っ張ればインキカートリッジ４２を容易に引き出すことができる。同様に、インキカートリッジ４２の摘み部４１をもって容易に挿入することも可能である。本実施例では摘み部４１が短辺側に設けてあるので、外枠体２０をグリップする際に手に摘み部４１が当たらず邪魔にならない（図４参照）。
【００１４】
次に、本発明第４実施例を図１２に基づいて説明する。ここでは、前記した実施形態と異なる点のみを説明する。
前記印字体５１を保持した部分の周縁、又は前記インキパッド４２を収容した部分の周縁のどちらか一方にパッキン４４を配設するとともに、他方に当接部５５を設ける。
前記インキパッド４２を収容した部分とは、インキカートリッジ４０にインキパッド４２を収容した部分、又は、内枠体１０にインキパッド４２を収容した部分のことをいう。
前記インキカートリッジ４０にインキパッド４２を収容した場合、前記インキカートリッジ４０のうち、前記インキパッド４２を収容した部分の周縁に段部４３を設け、前記段部４３にパッキン４４を配設する。パッキン４４は、インキパッド４２の周囲を全周に渡って配設される。前記段部４３に溝部を設け、その溝部に前記パッキン４４を配設してもよい。パッキンの材質としては、各種ゴム素材が採用でき、例えばＮＢＲ（ニトリルゴム）、フッ素樹脂、ＥＰＤＭ（エチレンプロピレンゴム）が採用できる。また、図示しないが、内枠体１０にインキパッド４２を収容した場合、前記内枠体１０のうち、前記インキパッド４２を収容した部分の周縁にパッキン４４を配設する。
また、印字体５１を保持した部分の周縁とは、例えば、印字体５１を印判主体５０に直接保持した場合は、印判主体５０のうち前記印字体５１を保持した部分の周縁であり、また、印判主体５０に印字体ホルダー５４が保持している場合は、印字体ホルダー５４のうち前記印字体５１を保持した部分の周縁である。そして、前記インキパッドを収容した部分の周縁にパッキンを配設した場合は、前記印字体５１を保持した部分の周縁に当接部５５を設ける。そして、前記インキパッド４２と前記印字体５１とが接触する際、前記パッキン４４と前記当接部５５とが密着し、前記印判主体５０と前記インキカートリッジ４０との間を密閉する。
ここで密着するとは、隙間なくつけることを意味する。パッキン４４は、印判主体５０側に配設してもよく、その場合は、インキカートリッジ４０又は内枠体１０側に当接部５５を設ける。
【００１５】
また、次の実施例も本発明の意図するところである。
本実施例の反転式印判は、内枠体１０の長側面１５側に突起部１６を設けてあり、外枠体２０の長辺側面２５側に押込部２６及び係合部２７を設けてあるが、これをそれぞれ逆に設けることもできる。すなわち、内枠体１０の短側面１１側に突起部を設け、外枠体２０の短辺側面２１側に押込部及び係合部を設けてもよい。
また、本発明の反転式印判は、内枠体１０の短側面１１側に脱着口１２を設けてあり、外枠体２０の短辺側面２１側に着脱口２２を設けてあるが、これをそれぞれ逆に設けることも可能である。すなわち、内枠体１０の長側面１５側に脱着口を設け、外枠体２０の長辺側面２５側に着脱口を設けてもよい。
【００１６】
前記突起部１６や前記押込部２６は、それぞれ内枠体１０と外枠体２０に連続して一体成型してあるが、これを別部品としてバネ等を介したボタン状の突起部や押込部とすることも可能である。
また、印字体５１は、複数の文字や数字を一体とした長細形状の印字体でもよいし、文字や数字を一つ一つ個別にした印字体でもよく、それぞれ印字体ホルダー５４に嵌め込んで印判主体とする。あるいは、印判主体５０に印字体を直接貼り付けて印判主体とすることも可能である。
また、本実施例は角型印判であるが、これを長短の側面の違いがない丸型印判としても本発明の目的及び効果が得られる。
【００１７】
本実施例の内枠体１０の下端部には保持部１７が設けてある。保持部１７は、内枠体１０の下端部に設けた凹みで、鉛筆など細長の円柱や多角形柱などの被捺印物を確実に保持することができるため、希望する捺印位置に正確に捺印することができるものである。
また、保持部１７は、下端部から上方に向かって凹んでいる凹みだけではなく、下端部から下方に張出した複数の突部によって形成されるものであってもよい。
【００１８】
以上、本発明を前記実施例により説明したが、本発明はこれらに限定されるものではなく、本発明の要旨を逸脱しない範囲内で種々の改良、変形が可能であることは勿論である。
【符号の説明】
【００１９】
１０  内枠体
１１  短側面
１２  脱着口
１２１脱着孔
１３  スリット
１４  反転ガイド
１５  長側面
１６  突起部
１７  保持部
２０  外枠体
２１  短辺側面
２２  着脱口
２２１着脱孔
２３  溝
２４  固定穴
２５  長辺側面
２６  押込部
２７  係合部
３０  弾性体
４０  インキカートリッジ
４１  摘み部
４２  インキパッド
４３  段部
４４  パッキン
５０  印判主体
５１  印字体
５２  固定軸
５３  反転軸
５４  印字体ホルダー
５５  当接部
【図１】
2011025659.tif 000003
【図２】
2011025659.tif 000004
【図３】
2011025659.tif 000005
【図４】
2011025659.tif 000006
【図５】
2011025659.tif 000007
【図６】
2011025659.tif 000008
【図７】
2011025659.tif 000009
【図８】
2011025659.tif 000010
【図９】
2011025659.tif 000011
【図１０】
2011025659.tif 000012
【図１１】
2011025659.tif 000013
【図１２】
2011025659.tif 000014